(57)【特許請求の範囲】
【請求項１】
複数の便器が並列状に配され、躯体から延設される奥行パネルによって仕切られて構成されるトイレブースにおいて、前記奥行パネルの上下方向中間位置に擬音装置が収容される収容室を設け、該収容室よりも上側を縦横桟で仕切って複数の収納室を形成し、該収納室に消臭剤が充填された消臭袋を収納する一方、擬音装置の収容室よりも下側スペースには芯材が充填されたものとし、さらに奥行パネルの表裏面を通気性がある不織布で裏打ちし、該不織布の表裏面に有孔の表裏面板を設けて構成したことを特徴とする消臭機能を有するトイレブース。
【請求項２】
芯材は、ペーパーコア材あるいはハニカムコア材であることを特徴とする請求項１記載の消臭機能を有するトイレブース。
【発明の詳細な説明】
【技術分野】
【０００１】
本発明は、駅構内、学校、病院、公園等に建て付けられる消臭機能を有するトイレブースの技術分野に関するものである。
【背景技術】
【０００２】
今日、駅構内、学校、病院、公園等に建て付けられるトイレブースは、複数のトイレが並列するように設けられ、それらを奥行パネルにより仕切っている。そしてこの場合に、奥行パネルに擬音装置を設けて用足ししているときの音に紛れさせることが行われている。用足ししている場合に、アンモニア等の臭気が発生することになるが、臭気は、空気よりも軽いため上昇する性質があり、しかも体内から排出されるため外気温よりも温度が高いため天井側に籠るという習性がある。
そこで消臭剤を組込んだパネルを奥行パネルとして用いて消臭することが提唱される（特許文献１参照）。
【先行技術文献】
【特許文献】
【０００３】
【特許文献１】特許第３６４８６８２号公報
【発明の概要】
【発明が解決しようとする課題】
【０００４】
ところが前記従来のパネルは、消臭剤が全面に組込まれている。これに対し、前述したように臭気は上昇して天井側に籠るという性質を有するため、下側に組込まれた消臭剤が無駄になりがちであると共に下側部位の強度確保が難しいという問題があるうえ、擬音装置を組込むスペースを確保することができないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数の便器が並列状に配され、躯体から延設される奥行パネルによって仕切られて構成されるトイレブースにおいて、前記奥行パネルの上下方向中間位置に擬音装置が収容される収容室を設け、該収容室よりも上側を縦横桟で仕切って複数の収納室を形成し、該収納室に消臭剤が充填された消臭袋を収納する一方、擬音装置の収容室よりも下側スペースには芯材が充填されたものとし、さらに奥行パネルの表裏面を通気性がある不織布で裏打ちし、該不織布の表裏面に有孔の表裏面板を設けて構成したことを特徴とする消臭機能を有するトイレブースである。
請求項２の発明は、芯材は、ペーパーコア材あるいはハニカムコア材であることを特徴とする請求項１記載の消臭機能を有するトイレブースである。
【発明の効果】
【０００６】
請求項１の発明とすることにより、天井側に上昇した臭気を効率よく消臭できながら、擬音装置の配設が確実にでき、また奥行パネルの下側部分の強度維持ができることになる。
請求項２の発明とすることにより、芯材がペーパーコア材あるいはハニカムコア材であるため軽いものにしながら強度維持ができることになる。
【図面の簡単な説明】
【０００７】
【図１】トイレブースの平面図である。
【図２】第一奥行パネルの正面図である。
【図３】第一奥行パネルの消臭袋収納部位の不織布、表面板を一部取り除いた状態を示す正面図である。
【図４】（Ａ）は第一奥行パネルの不織布、表面板を取り除いた状態を示す正面図、（Ｂ）は第一奥行パネルの縦断面図である。
【図５】第一奥行パネルの消臭袋収納部位を示す要部拡大縦断面図である。
【発明を実施するための形態】
【０００８】
以下、本発明の実施の形態について、図面に基づいて説明する。図面において、１はトイレブースであって、該トイレブース１は複数（本実施の形態では三つ）の便器２が並列状に配され、躯体Ｘから延設された奥行パネル３によって仕切られているが、奥行パネル３は、本実施の形態では、躯体Ｘ側の第一奥行パネル４と出入り口Ｙ側の第二奥行パネル５を一枚板状に連結したものが採用されている。第二奥行パネル５の出入り口側端縁には正面パネル６が設けられ、隣接する正面パネル６間に開閉扉７が開閉自在に設けられていること等は何れも従来通りである。
【０００９】
第一奥行パネル４は、四周框４ａにより枠組みされているが、本実施の形態では、そのうちの上側の凡そ２／３の部分がさらに縦桟４ｂ、横桟４ｃにより複数の収納室９が区画形成されている。収納室９には消臭剤（本実施の形態では、例えば間伐材を炭化して製造した「複合炭素材」を採用しているが、この複合炭素材は調湿作用もある。）１０ａが充填された通気性のある消臭袋１０が収納されている。
第一奥行パネル４の最下端の収納室９の下側には、擬音装置８を収容するための収容室１１が形成され、その下側のスペース１２には芯材（例えばペーパーコア材やハニカムコア材）１３が収容されている。
尚、擬音装置８は、便器２に座した使用者が指による操作をしやすい高さとすることが好ましく、通常、床面から８００〜９５０ｍｍ程度の高さ位置に配される。
そして第一奥行パネル４の表裏全体には、四周框４ａに囲まれた面全体に通気性がある不織布１４が裏打ちされ、さらにその表裏面に通気孔１５ａが穿設された有孔の表裏面板１５が設けられている。
因みに不織布１４と表裏面板１５とは、擬音装置８が組込まれる部位については窓１５ｂ（不織布１４については図示せず）が切欠き形成されていて擬音装置８の表面操作部８ａが露出するようになっている。尚、第一奥行パネル４のおいて、擬音装置８がない側の面（裏面）は窓１５ｂがないものとなっている。また、擬音装置８の配線用配管８ｂは、収容室１１からそのまま躯体Ｘ側に向けて横に延びるよう配線されている。
【００１０】
また第二奥行パネル５は、第一奥行パネル４と同じ構造のものを採用することができるが、その場合に、擬音装置８がないものになっているため、不織布１４、表裏面板１５については窓１５ｂがないものになっている。
因みに、本実施の形態では第一、第二の奥行パネル４、５を用いて構成したが、これらを一枚パネルとして構成することもでき、また３枚以上のパネルを一列状に配設したものとしても実施することができる。
【００１１】
叙述の如く構成された本実施の形態において、トイレブース１は躯体Ｘ側から延設される奥行パネル３により仕切られることになるが、本実施の形態の奥行パネル３では、躯体Ｘ側の第一奥行パネル４に本発明が実施されている。つまり、第一奥行パネル４は、上側部分が縦横桟４ｂ、４ｃで仕切られて収納室９が形成され、この収納室９に消臭剤１０ａが充填された消臭袋１０が収納されることになる結果、比重が空気よりも軽く、しかも体内から排出されるため外気温よりも温度が高い臭気が天井側に上昇することになるが、この上昇した臭気は第一奥行パネル４の上側部位に配した消臭剤１０ａによって効率よく吸収されて消臭されることになる。しかもこのものでは第一奥行パネル４が、消臭剤１０ａが配設される下側部位に擬音装置８が配され、さらにその下側に芯材１３が配されることになって、擬音装置８の配設に無理がなく、また第一奥行パネル４の下側部位での強度維持が図れることになる。
【００１２】
そのうえこのものでは、消臭剤１０ａが配される範囲が、第一奥行パネル４の上側略２／３であるから、効率の良い消臭ができることになってトイレブース１の快適性を図りながら、強度維持と擬音装置８の無理のない配置ができることになる。
しかも芯材１４がペーパーコア材やハニカムコア材を用いて構成されているため、軽量でありながら強度維持が図れることになる。
また、第一、第二奥行パネル４、５は、両面が不織布１４、有孔表裏面板１５によって表裏面が覆われているため、表裏両面からの消臭ができることになって消臭効果が高いものになっている。
【産業上の利用可能性】
【００１３】
本発明は、駅構内、学校、病院、公園等に建て付けられる消臭機能を有するトイレブースに利用することができる。
【符号の説明】
【００１４】
１  トイレブース
２  便器
３  奥行パネル
４  第一奥行パネル
４ｂ  縦桟
４ｃ  横桟
７  開閉扉
８  擬音装置
９  収納室
１０  消臭袋
１０ａ消臭剤
１１  収容室
１２  スペース
１３  芯材
１４  不織布
１５  表裏面板
１５ａ通気孔
Ｘ  躯体
【図１】
0006453136.tif 000002
【図２】
0006453136.tif 000003
【図３】
0006453136.tif 000004
【図４】
0006453136.tif 000005
【図５】
0006453136.tif 000006